(57)【要約】【課題】移動板にばね部材のような弾性部材によって荷重をかけてコンタクトの弾性接片を押圧してコンタクトの接触力を増大できるようにする。【解決手段】ＩＣパッケージを装着して電気的接続を形成するＩＣソケットのコンタクトの接触力を増加するために、ＩＣパッケージが装着される案内部材に対して横方向に移動可能に複数個の移動板を配置する工程と、該移動板の１つとソケット本体との間に弾性部材を配設する工程と、該弾性部材によって前記移動板を押圧する工程と、コンタクトを形成する一対の弾性接片の１つを前記移動板によって弾性偏倚する工程とを有する。【選択図】　　　　図１
2004111214.tif 000002
【特許請求の範囲】
【請求項１】
ＩＣパッケージを装着して電気的接続を形成するＩＣソケットのコンタクトの接触力を増加する方法において、
ＩＣパッケージが装着される案内部材に対して横方向に移動可能に複数個の移動板を配置する工程と、該移動板の１つとソケット本体との間に弾性部材を配設する工程と、該弾性部材によって前記移動板を押圧する工程と、コンタクトを形成する一対の弾性接片の１つを前記移動板によって弾性偏倚する工程とを有することを特徴とするコンタクトの接触力を増加する方法。
【請求項２】
前記移動板の下の別の移動板の格子状の作動部によって前記コンタクトの弾性接片を外側から弾性偏倚することを特徴とする請求項１記載のコンタクトの接触力を増加する方法。
【請求項３】
ＩＣパッケージが装着される案内部材と、装着されたＩＣパッケージと電気的接続を形成する複数個の挟み込み形のコンタクトと、該コンタクトが固設されるソケット本体と、上下動可能に弾性支持された操作部材とを有するＩＣソケットにおいて、
前記コンタクトを開閉する複数個の移動板と、該移動板の１つを移動すべく前記操作部材に形成されたカム部材と、前記移動板の他の１つを弾性偏倚する弾性部材とを有し、前記コンタクトが、一対の弾性接片がほぼ平行に延びるように一端において互いに固着され、前記移動板の１つによって前記弾性接片の一方を押圧して前記コンタクトを開くことを特徴とするＩＣソケット。
【請求項４】
前記コンタクトは、前記一対の弾性接片の間に前記一方の移動板の格子状の仕切壁が配設されて弾性接片が隔絶されていることを特徴とする請求項３記載のＩＣソケット。
【請求項５】
前記一方の弾性接片が外側に折り曲げられ、この折曲部に前記他の１つの移動板の作動部が押圧されて開かれることを特徴とする請求項４記載のＩＣソケット。
【請求項６】
前記一対の弾性接片の間に前記１つの移動板の格子状の仕切壁が挟み込まれて配置され、前記複数個の移動板によって前記コンタクトの弾性接片が開かれるように形成されていることを特徴とする請求項３記載のＩＣソケット。
【請求項７】
前記複数個の移動板を作動すべく係合するように前記カム部材が形成されていることを特徴とする請求項６記載のＩＣソケット。
【請求項８】
前記コンタクトの他方の弾性接片に前記他の移動板の作動部が係合するように弾性部材が作用し、前記１つの移動板に前記カム部材が係合するように作用することを特徴とする請求項３記載のＩＣソケット。
【請求項９】
前記カム部材に加えて別のカム部材が前記操作部材に設けられて前記他の移動板を開放作動することを特徴とする請求項３記載のＩＣソケット。
【発明の詳細な説明】
【０００１】
【発明の属する技術分野】
本発明は、ソケット本体のコンタクトと電子部品等のパッケージであるＩＣパッケージの外部接点との開閉を行う電子部品用ソケットのコンタクトの接触力を増加する方法および電子部品用ソケットに関するものである。特に、本発明は、コンタクトの弾性接片がＩＣパッケージの外部接点を挟み込んで接続するように適用されるＩＣソケットのコンタクトの接触力を増加する方法およびＩＣソケットに係わるものである。
【０００２】
【従来の技術】
従来、電子部品としてのＩＣパッケージ等は、ＩＣソケットのソケット本体に装着し、格子状に形成された移動板を横方向に移動して、挟み込みコンタクトを開閉してＩＣパッケージと接続するようにしたＩＣソケットが知られている（例えば、特許文献１。）。
【０００３】
従来におけるこのようなＩＣソケットにおいては、挟み込みコンタクトが固定側の弾性接片と可動側の弾性接片とをほぼ平行に延びるように配置して成っている。このようなＩＣソケットのコンタクトは、固定側の弾性接片に対して可動側の弾性接片を移動板によって移動して開閉するように形成されていて、コンタクトによってＩＣパッケージの外部接点を挟み込んで接続するように構成されている。
【０００４】
このような従来のＩＣソケットの一例が図９および図１０に示されている。図９は、従来のＩＣソケットのフリー状態または閉合状態でのＩＣソケットの中央縦断面図で、図１０は、操作部材のフルストローク状態、すなわちオープン状態での同様な中央縦断面図である。
【０００５】
図示されるように、従来におけるＩＣソケット１００は、例えばオープン・トップ・タイプのＩＣソケットである。このＩＣソケット１００は、固定のソケット本体１０２と、このソケット本体１０２に対して上下動可能に設けられたカバー部材としての操作部材１０３と、ソケット本体１０２に固設された複数個の挟み込み形のコンタクト１０４と、ＩＣパッケージ１１０が挿入されて装着される案内部材１０５と、コンタクト１０４を開閉するようにソケット本体１０２内に横方向に往復移動可能に設けられた格子状の移動板１０６とを有している。各コンタクト１０４は、固定側弾性接片１１２と可動側弾性接片１１４とから形成されており、操作部材１０３に移動板１０６を水平方向に横動するためのカム部材１０８が設けられている。
【０００６】
【特許文献１】
特開２０００−４８９２３号公報（第２頁、第１、２図）
【０００７】
【発明が解決しようとする課題】
しかしながら、このような従来のＩＣソケット１００においては、コンタクト１０４を開放する時に、コイルばねのようなばね部材１１５等によって上下動可能に弾性支持された操作部材１０３が押し下げられる。この操作部材１０３の押し下げによって、くさび部材のようなカム部材１０８を介して移動板１０６が横方向に移動される。この押し下げによって、移動板１０６の格子状の仕切壁１０７がコンタクト１０４の一方の可動側弾性接片１１４を押して動かし、コンタクト１０４を開くようにしている。
【０００８】
しかしながら、このようなコンタクト１０４は、接触力が低いために接触力を高くする必要が生じた場合、接触力のさらに強いコンタクト１０４との変更を行わなければならない。このために、ボード等にＩＣソケット１００が半田付け等で既に実装されてしまっているような場合には、その対応が非常に困難である。
【０００９】
さらにまた、このような従来のＩＣソケット１００において、ＩＣパッケージ１１０の半田ボール等の外部端子１１１に対するコンタクト１０４の接触力を増加させる方法として、ＩＣソケット１００のコンタクト１０４自体を改良することが求められている。しかしながら、ＩＣソケット１００の製品上での、コンタクト１０４自体の変更を行うことは困難である等の問題が見られる。
【００１０】
従って、本発明の目的は、このような従来における問題を解決するために、移動板にばね部材のような弾性部材によって荷重をかけてコンタクトの弾性接片を押圧してコンタクトの接触力を増大できるようにした、コンタクトの接触力を増加する方法およびＩＣソケットを提供することにある。
【００１１】
【課題を解決するための手段】
上述の目的を達成するために、本発明のコンタクトの接触力を増加する方法は、ＩＣパッケージを装着して電気的接続を形成するＩＣソケットのコンタクトの接触力を増加する方法において、ＩＣパッケージが装着される案内部材に対して横方向に移動可能に複数個の移動板を配置する工程と、該移動板の１つとソケット本体との間に弾性部材を配設する工程と、該弾性部材によって前記移動板を押圧する工程と、コンタクトを形成する一対の弾性接片の１つを前記移動板によって弾性偏倚する工程とを有することを特徴とする。
【００１２】
また、本発明のコンタクトの接触力を増加する方法は、前記移動板の下の別の移動板の格子状の作動部によって前記コンタクトの弾性接片を外側から弾性偏倚することを特徴とする。
【００１３】
さらに、本発明のＩＣソケットは、ＩＣパッケージが装着される案内部材と、装着されたＩＣパッケージと電気的接続を形成する複数個の挟み込み形のコンタクトと、該コンタクトが固設されるソケット本体と、上下動可能に弾性支持された操作部材とを有するＩＣソケットにおいて、前記コンタクトを開閉する複数個の移動板と、該移動板の１つを移動すべく前記操作部材に形成されたカム部材と、前記移動板の他の１つを弾性偏倚する弾性部材とを有し、前記コンタクトが、一対の弾性接片がほぼ平行に延びるように一端において互いに固着され、前記移動板の１つによって前記弾性接片の一方を押圧して前記コンタクトを開くことを特徴とする。
【００１４】
さらにまた、本発明のＩＣソケットは、前記コンタクトが、前記一対の弾性接片の間に前記一方の移動板の格子状の仕切壁が配設されて弾性接片が隔絶されていることを特徴とする。
【００１５】
本発明のＩＣソケットは、前記一方の弾性接片が外側に折り曲げられ、この折曲部に前記他の１つの移動板の作動部が押圧されて開かれることを特徴とする。
【００１６】
また、本発明のＩＣソケットは、前記一対の弾性接片の間に前記１つの移動板の格子状の仕切壁が挟み込まれて配置され、前記複数個の移動板によって前記コンタクトの弾性接片が開かれるように形成されていることを特徴とする。
【００１７】
さらに、本発明のＩＣソケットは、前記複数個の移動板を作動すべく係合するように前記カム部材が形成されていることを特徴とする。
【００１８】
さらにまた、本発明のＩＣソケットは、前記コンタクトの他方の弾性接片に前記他の移動板の作動部が係合するように弾性部材が作用し、前記１つの移動板に前記カム部材が係合するように作用することを特徴とする。
【００１９】
本発明のＩＣソケットは、前記カム部材に加えて別のカム部材が前記操作部材に設けられて前記他の移動板を開放作動することを特徴とする。
【００２０】
本発明のその他の目的や特徴および利点は、添付図面に示される本発明のＩＣソケットの実施形態についての以下の詳細な説明から明らかである。
【００２１】
【発明の実施の形態】
（実施例１）
図１および図２は、本発明のコンタクトの接触力を増加する方法を実施するための電子部品用ソケットとしての、例えばＩＣソケットの実施例１を示す概要説明図で、図１は、ＩＣソケットのフリー状態、すなわち閉合状態の時の中央縦断面図、図２は、ＩＣソケットのフルストローク状態、すなわちオープン状態の時の中央縦断面図である。
【００２２】
図１および図２に示されるように、本発明のコンタクトの接触力を増加させる方法を実施するための実施例１における電子部品用ソケットとしてのＩＣソケット１は、電子部品としてのＩＣパッケージ１０を装着して電気的接続を形成する挟み込み形のコンタクト４を有するオープン・トップ・タイプのＩＣソケットである。
【００２３】
このような本発明のＩＣソケット１は、ソケット本体２と、このソケット本体２に対して上下動可能に設けられた操作部材３と、ソケット本体２に基端部において固設され、かつ装着されたＩＣパッケージ１０と電気的接続を形成する複数個の挟み込み形のコンタクト４と、ソケット本体２内にＩＣパッケージ１０が挿入されて装着される案内部材５と、コンタクト４を開閉するようにソケット本体２内に横方向に往復移動可能に設けられた格子状の第１の移動板６と、第２の移動板７とを有している。
【００２４】
このような本発明のＩＣソケット１においては、操作部材３に、第１の移動板６を水平方向に移動するためのくさび形のカム部材８が設けられている。また、第２の移動板７を横方向に押圧するばね部材９が、弾性部材としてソケット本体２と第２の移動板７との間に設けられている。
【００２５】
また、各コンタクト４は、固定側弾性接片１２と可動側弾性接片１４とから形成されている。第１の移動板６には、コンタクト４の固定側弾性接片１２と可動側弾性接片１４とを隔絶するための格子状または櫛歯状の仕切壁１６が設けられている。さらに、第２の移動板７には、コンタクト４を閉合する時に、コンタクト４の可動側弾性接片１４を押圧するための格子状または櫛歯状の作動部１７が可動側接片１４の外側に当接するように設けられている。
【００２６】
このような本発明のＩＣソケット１において、ソケット本体２は、箱形をなしている。このような箱形のソケット本体２の底部には、複数個の挟み込み形のコンタクト４が、その基端部において固設されている。これらコンタクト４は、装着されたＩＣパッケージ１０の球状または半球状の外部端子１１と電気的接続を形成するように構成されている。さらに、ソケット本体２の上部には、１つ、または複数個のコイルスプリングのようなばね部材１５によって操作部材３が上下方向に移動可能に弾性支持されている。
【００２７】
また、この操作部材３の上下動に対応して、くさび形のカム部材８等によって格子状または櫛歯状の第１の移動板６が左右に横方向に水平移動されるように連動されている。さらに、カム部材８が操作部材３から下方に垂下するように設けられている。
【００２８】
従って、操作部材３の押し下げによって、カム部材８のカム面が第１の移動板６の角部を押して第１の移動板６を横方向に移動する。このために、本実施例では、第１の移動板６のこの横方向の移動によって、仕切壁１６が可動側弾性接片１４を外方に押圧することにより後述するようにコンタクト４が開かれるようになる。
【００２９】
このような本発明のＩＣソケット１において、コンタクト４は、一対の固定側弾性接片１２と可動側弾性接片１４とから形成されている。また、本発明のＩＣソケット１では、これら固定側弾性接片１２と可動側弾性接片１４は、上方に向ってほぼ平行に延びるように基端部において互いに固着されている。これら固定側弾性接片１２と可動側弾性接片１４との間には、第１の移動板６の格子状または櫛歯状の仕切壁１６が位置するように配設されている。従って、この仕切壁１６によって、固定側弾性接片１２と可動側弾性接片１４とが隔絶されている。
【００３０】
また、コンタクト４の可動側弾性接片１４は、上方部分の中程近くにおいて、ほぼ逆「く」の字形に僅かに内側に折り曲げられていて折曲部１８を有するように形成されている。このために、可動側弾性接片１４は、フリーな状態において弾性によって外方に開くことができるように自由になっている。
【００３１】
従って、このコンタクト４の可動側弾性接片１４は、第１の移動板６がカム部材８によって水平横方向に移動される時に、第１の移動板６の仕切壁１６によって外方に押圧される。これと同時に、第２の移動板７の作動部１７によってコンタクト４の可動側弾性接片１４が内側に押圧される。このために、可動側弾性接片１４は、折曲部１８を支点としてさらに外方に折り曲げられ、これによって、コンタクト４の先端部が外方に開かれるようになる。
【００３２】
この時に、他方の弾性接片である固定側弾性接片１２は、殆ど固定の直立した状態である。また、可動側弾性接片１４は、折曲部１８においてさらに外方に折曲されるように押される。これによって、図２に示されるように、可動側弾性接片１４の先端部は、第１の移動板６の仕切壁１６によって押されてＩＣパッケージ１０の外部端子１１から離れて外方に開かれるようになる。
【００３３】
従って、固定側弾性接片１２と可動側弾性接片１４との先端部は、外方に向って開かれて図２のようなオープン状態になる。また、固定側弾性接片１２と可動側弾性接片１４の先端部の間の間隔は、図示のように大きく広げられるようになる。
【００３４】
このように、本発明におけるＩＣソケット１のコンタクト４の、図１の閉合状態から、図２のオープン状態への、コンタクト４の開閉状態に、コンタクト４の固定側弾性接片１２と可動側弾性接片１４とが開閉されるようになる。すなわち、図１においては、コンタクト４の閉合状態が示されており、この状態において操作部材３が押し下げられる。この操作部材３の押し下げにより、カム部材８によって第１の移動板６が横方向に作動されて、図２に示されるように移動される時に、第１の移動板６の仕切壁１６によってコンタクト４の可動側弾性接片１４が外方に押される。これと共に、可動側弾性接片１４は、折曲部１８において作動部１７がばね部材９によって押されて、さらに折曲されるようになる。これによって、可動側弾性接片１４は、図示のように弾性変形され、可動側弾性接片１４の先端部がＩＣパッケージ１０の外部端子１１から離れるようになる。
【００３５】
この時に、コンタクト４の固定側弾性接片１２は、第２の移動板７の作動部１７による可動側弾性接片１４の押圧の解除によって、可動側弾性接片１４の先端部による押圧力が作用されなくなる。これにより、固定側弾性接片１２は、自由となって、先端部が自己弾性力によってＩＣパッケージ１０の外部端子１１から離れるようになる。このために、コンタクト４の先端部は、図２に示されるように、十分な間隔をもって開くようになり、オープン状態に広く十分に開くことができる。
【００３６】
また、この場合に、コンタクト４の先端部は、可動側弾性接片１４の先端部が十分離れるように開かれ、第２の移動板７の作動部１７が折曲部１８を押すと共に、第１の移動板６の仕切壁１６が可動側弾性接片１４を押すことになる。
【００３７】
このように、本発明のＩＣソケット１においては、閉合時にコンタクト４の可動側弾性接片１４が、弾性部材であるばね部材９によって第２の移動板７の作動部１７を介して押されることによって、コンタクト４における接触力を増加することができる。さらにまた、このようなばね部材９の強さを変えることで、コンタクト４の接触力の調整も可能である。
【００３８】
さらに、本発明のＩＣソケット１において、ソケット製品上でコイルばねのようなばね部材９の交換ができる構造にすることによって、鉛フリーのＩＣパッケージ１０の搭載をする等の場合に、接触力の増加が必要になった際に、評価ボード上においてばね部材の追加や、もしくは交換することによって容易に対応することができる。
【００３９】
（実施例２）
図３および図４は、本発明の電子部品用ソケットとしてのＩＣソケットの実施例２を示す概要説明図で、図３は、ＩＣソケットのフリー状態、すなわち閉合状態の時の中央縦断面図、図４は、ＩＣソケットのフルストローク状態、すなわちオープン状態の時の中央縦断面図である。
【００４０】
図３および図４に示されるように、本発明の実施例２における電子部品用ソケットとしてのＩＣソケットも、先の実施例１と同様な挟み込み形のコンタクトを有するタイプのＩＣソケットである。
【００４１】
このような本発明の実施例２におけるＩＣソケット２０は、ソケット本体２２と、このソケット本体２２に対して上下動可能に設けられた操作部材２３と、ソケット本体２２に基端部において固設されて、かつ装着されたＩＣパッケージと電気的接続を形成する複数個の挟み込み形のコンタクト２４と、ソケット本体２２内にＩＣパッケージ３０が装着される案内部材２５と、ソケット本体２２内に水平横方向に移動可能に配置された格子状または櫛歯状の仕切壁３６を有する第１の移動板２６と、水平横方向に移動可能に設けられた格子状または櫛歯状の作動部３７を有する第２の移動板２７とを有している。
【００４２】
また、第１の移動板２６と第２の移動板２７は、カム部材２８によって同一方向に移動するように設けられており、ソケット本体２２と第２の移動板２７との間に、コイルばねのようなばね部材２９が設けられている。
【００４３】
このような本発明のＩＣソケット２０において、ソケット本体２２は箱形をなしている。このような箱形のソケット本体２２の底部に、挟み込み形のコンタクト２４がその基端部において固設されていて、装着されたＩＣパッケージ３０の球状または半球状の半田ボールのような外部端子３１と電気的接続を形成するように構成されている。また、ソケット本体２２の上部には、１つ、または複数個のコイルスプリングのようなばね部材３５によって操作部材２３が上下動可能に弾性支持されている。さらに、ソケット本体２２の上部には、この操作部材２３から垂下するようにカム部材２８が設けられている。このために、操作部材２３の上下動に対応してカム部材２８によって格子状または櫛歯状の仕切壁３６を有する第１の移動板２６と、同様な格子状または櫛歯状の作動部３７を有する第２の移動板２７とが、カム部材２８によって同一方向に水平移動されるように連動されている。従って、第１移動板２６と第２移動板２７とのそれぞれの横方向の移動によってコンタクト２４が開かれるようになる。
【００４４】
このような本発明のＩＣソケット２０において、コンタクト２４は、一対の固定側弾性接片３２と可動側弾性接片３４とから形成されている。コンタクト２４のこれら固定側弾性接片３２と可動側弾性接片３４は、ほぼ平行に延びるように基端部において互いに固着されている。本発明のこのようなＩＣソケット２０においては、これら固定側弾性接片３２と可動側弾性接片３４との間に、第１の移動板２５の格子状または櫛歯状の仕切壁３６が位置するように配設されている。
【００４５】
これと共に、ＩＣソケット２０においては、この第１の移動板２６に対してその下に第２の移動板２７が設けられている。この第２の移動板２７は、その格子状または櫛歯状の作動部３７がコンタクト２４の可動側弾性接片３４の外側に当接するように配置されている。また、第１移動板２６の仕切壁３６が固定側弾性接片３２と可動側弾性接片３４との間に設けられることによって、固定側弾性接片３２と可動側弾性接片３４とが隔絶されている。
【００４６】
さらに、コンタクト２４の可動側弾性接片３４は、第１の移動板２６が水平方向に移動する時に、第１の移動板２６の仕切壁３６によって外方に押圧されるので、先端部が外方に開かれるようになる。また、他方の固定側弾性接片３２は、第１の移動板２６の仕切壁３６や第２の移動板２７の作動部３７が離れるように移動されることによって自由になっている。従って、この実施例では、可動側弾性接片３４の先端部が外方に向って開かれて図４のようなオープン状態になり、可動側弾性接片３４と固定側弾性接片３２との先端部の間の間隔が図示のように広がって開放状態のようになる。
【００４７】
このように、本発明におけるＩＣソケット２０のコンタクト２４の図４のオープン状態から、図３への閉合状態へのコンタクト２４の開閉状態が図示されており、これによって明白に理解されるようになる。すなわち、図３には、コンタクト２４の閉合状態が示され、図４にはオープン状態が示されている。
【００４８】
図３に示されるように、コンタクト２４が閉合状態にある時に、第１の移動板２６は、仕切壁３６がコンタクト２４に何等負荷をかけていない。また、第２の移動板２７は、弾性部材としてのばね部材２９によって横方向に押圧されているために、第２の移動板２７の作動部３７が可動側弾性接片３４の折曲部３８付近を押圧している。これにより、ＩＣパッケージ３０の外部端子３１は、可動側弾性接片３４によってしっかりと押圧されて掴持されることになる。このように、コンタクト２４の可動側弾性接片３４の接触力は、ばね部材２９によって第２の移動板２７を介して増大されるようにＩＣソケット２０が構成されている。
【００４９】
このように、本発明におけるＩＣソケット２０のコンタクト２４の図３の閉合状態から図４のオープン状態へのコンタクト２４の開閉状態に、コンタクト２４の固定側弾性接片３２と可動側弾性接片３４とが開閉されるようになる。すなわち、図３においては、コンタクト２４の閉合状態が示されている。
【００５０】
この図示の様に、操作部材２３が押し下げられると、カム部材２８によって、先ず、第１の移動板２６が横方向に作動される。これに続いて、第２の移動板２７がばね部材２９のばね力に抗して図４に示されるようにカム部材２８によって押されて移動される。この時に、第１の移動板２６の仕切壁３６によってコンタクト２４の可動側弾性接片３４は外方に押される。それと同時に、折曲部３８においてばね部材２９によって当接されていた作動部３７は、離れる方向に第２の移動板２７がカム部材２８によって押されて離されるために図示のように弾性変形される。この弾性変形によって可動側弾性接片３４の先端部がＩＣパッケージ３０の外部端子３１から離れるようになる。
【００５１】
この時に、コンタクト２４の固定側弾性接片３２は、第２の移動板２７の作動部３７による可動側弾性接片３４の押圧の解除によって、可動側弾性接片１４の先端部による押圧力が作用されなくなる。このために、可動側弾性接片１４の自由となった先端部は、自己弾性力によってＩＣパッケージ３０の外部端子３１から離れるようになる。結果として、コンタクト２４の先端部は、図４に示されるように十分な間隔をもって開くようになり、オープン状態に広く十分に開くことができる。また、この場合に、コンタクト２４の先端部は、可動側弾性接片３４の先端部が十分離れるように開かれ、第２の移動板２７の作動部３７が折曲部３８から離される。これと共に、第１の移動板２６の仕切壁３６が可動側弾性接片３４を外方に押すので、コンタクト２４における応力が緩和されてコンタクト２４の寿命は略従来製品と同等となる。
【００５２】
このように、本発明の実施例２におけるＩＣソケット２０においては、閉合時に、コンタクト２４の可動側弾性接片３４がばね部材２９によって第２の移動板２７の作動部３７を介して押されることによって、コンタクト２４における接触力を増加することができるし、ばね部材２９の強さを変えることで、接触力の調整も可能である。
【００５３】
さらに、本発明のＩＣソケット２０において、コイルばねのようなばね部材２９の交換ができる構造にすることによって、鉛フリーのＩＣパッケージ３０を搭載する等の場合に、接触力の増加が必要になった際に、評価ボード上においてばね部材の追加や、もしくは交換することによって容易に対応することができる。
【００５４】
（実施例３）
図５および図６は、本発明のコンタクトの接触力を増加する方法を実施するための電子部品用ソケットとしてのＩＣソケットの実施例３を示す概要説明図で、図５は、ＩＣソケットのフリー状態、すなわち閉合状態の時の中央縦断面図、図６は、ＩＣソケットのフルストローク状態、すなわちオープン状態の時の中央縦断面図である。
【００５５】
図５および図６に示されるように、本発明のコンタクトの接触力を増加させる方法を実施するための実施例３においては、第２の移動板４７を押圧する弾性部材であるばね部材４９のばね力の作用方向が、先の実施例１と実施例２のものと異なっていて逆方向である。この実施例３における電子部品用ソケットとしてのＩＣソケット４０は、電子部品としてのＩＣパッケージ５０を装着して電気的接続を形成する挟み込み形のコンタクト４４を有するオープン・トップ・タイプのＩＣソケットである。
【００５６】
このような実施例３における本発明のＩＣソケット４０は、ソケット本体４２と、このソケット本体４２に対して上下動可能に設けられた操作部材４３と、ソケット本体４２に基端部において固設され、かつ装着されたＩＣパッケージ５０と電気的接続を形成する複数個の挟み込み形のコンタクト４４と、ソケット本体４２内にＩＣパッケージ５０が挿入されて装着される案内部材４５と、コンタクト４４を開閉するようにソケット本体４２内に横方向に往復移動可能に設けられた格子状の第１の移動板４６と第２の移動板４７とを有している。
【００５７】
また、このような本発明のＩＣソケット４０においては、操作部材４３に第１の移動板４６を水平方向に移動するためのくさび形のカム部材４８が設けられている。さらに、第２の移動板７を横方向に押圧するばね部材４９が、ソケット本体４２と第２の移動板４７との間においてカム部材４８側に設けられている。
【００５８】
また、各コンタクト４４は、固定側弾性接片５２と可動側弾性接片５４とから形成されている。第１の移動板４６には、コンタクト４４の固定側弾性接片５２と可動側弾性接片５４とを隔絶するための格子状または櫛歯状の仕切壁５６が設けられている。さらに、第２の移動板４７には、コンタクト４を閉合する時に、コンタクト４の固定側弾性接片５２を押圧するための格子状または櫛歯状の作動部５７が、固定側接片５２の外側に当接するように設けられている。
【００５９】
このような本発明のＩＣソケット４０において、ソケット本体４２は箱形をなしている。さらに、このソケット本体４２の底部には、挟み込み形のコンタクト４４がその基端部において固設されており、装着されたＩＣパッケージ５０の球状または半球状の外部端子５１を掴持して電気的に接続するように構成されている。また、ソケット本体４２の上部には、複数個のコイルスプリングのようなばね部材５５によって操作部材４３が上下動可能に弾性支持されている。
【００６０】
さらにまた、この操作部材４３の上下動に対応して、くさび形のカム部材４８等によって格子状または櫛歯状の仕切壁５６を有する第１の移動板４６が水平横方向に移動されるように連動されている。従って、カム部材４８が操作部材４３から下方に垂下するように設けられていて、操作部材４３の押し下げによって、カム部材４８のカム面が第１の移動板４６の角部を押して第１の移動板４６を横方向に移動する。このために、第１の移動板４６のこの横方向の移動によって仕切壁５６が可動側弾性接片５４を外方に押圧することとなり、結果として、コンタクト４が図６に示されるように開かれるようになる。
【００６１】
このような本発明のＩＣソケット４０において、コンタクト４４は、一対の固定側弾性接片５２と可動側弾性接片５４とから形成されている。これら固定側弾性接片５２と可動側弾性接片５４とは、上方に向ってほぼ平行に延びるように基端部において互いに固着されている。これら固定側弾性接片５２と可動側弾性接片５４との間には、第１の移動板４６の格子状または櫛歯状の仕切壁５６が配設されていて、結果として、固定側弾性接片５２と可動側弾性接片５４とが隔絶されている。
【００６２】
また、コンタクト４４の可動側弾性接片５４は、フリーな状態において、自己の弾性によって内方に閉じる方向に位置することができるように自由になっている。
【００６３】
従って、このコンタクト４４の可動側弾性接片５４は、操作部材４３が押し下げられて、第１の移動板４６がカム部材４８によって水平横方向に移動される時に、第１の移動板４６の仕切壁５６によって可動側弾性接片５４が外方に押圧されることになる。これにより、可動側弾性接片５４は、外方に折り曲げられて、先端部がＩＣパッケージ５０の外部端子５１から離れるように外方に開かれるようになる。
【００６４】
また、この時に、他方の弾性接片である固定側弾性接片５２は、殆ど固定の直立した状態である。このために、可動側弾性接片５４は、一層外方に折曲されるように押されることによって、図６に示されるように可動側弾性接片５４の先端部が第１の移動板４６の仕切壁５６によって押されてＩＣパッケージ５０の外部端子５１から離れて外方に開かれるようになる。従って、可動側弾性接片５４の先端部が外方に向って開かれて図６のようなオープン状態になり、固定側弾性接片５２と可動側弾性接片５４の先端部の間の間隔が図示にように広げられるようになる。
【００６５】
このように、本発明におけるＩＣソケット４０のコンタクト４４の図５の閉合状態から図６のオープン状態へのコンタクト４４の開閉状態に、コンタクト４４の固定側弾性接片５２に対して可動側弾性接片５４が開閉されるようになる。すなわち、図５には、コンタクト４４の閉合状態が示されおり、この状態において操作部材４３が押し下げられると、カム部材４８によって第１の移動板４６が横方向に作動されて図６に示されるように移動される。従って、この時に、第１の移動板４６の仕切壁５６によって、コンタクト４４の可動側弾性接片５４が外方に押されて折曲部５８において弾性変形され、可動側弾性接片５４の先端部がＩＣパッケージ５０の外部端子５１から離れるようになる。
【００６６】
この時に、コンタクト４４の固定側弾性接片５２は、第２の移動板４７の作動部５７によって押されている。しかしながら、固定側弾性接片５２の先端部は、ＩＣパッケージ５０の外部端子５１に当接しており、殆ど動かない固定の状態となっているので、可動側弾性接片５４の先端部がＩＣパッケージ５０の外部端子５１から離れるようになる。この結果、コンタクト４４の先端部は、図６に示されるように十分な余裕をもって開くようになり、オープン状態に広く十分に開くことができる。特に、この場合には、コンタクト４４の先端部は、可動側弾性接片５４の先端部が十分離れるように開かれ、応力は従来と変わらない。
【００６７】
このように、本発明のＩＣソケット４０においては、オープン時に、コンタクト４４の可動側弾性接片５４が第１の移動板４６の仕切壁５６によって押されることで、ＩＣパッケージ５０の外部端子５１から十分に離れて開かれる。
【００６８】
また、コンタクト４４の閉合時には、この実施例３のＩＣソケット４０では、コンタクト４４の可動側弾性接片５４の閉合する方向への自己弾性力と相俟って、ばね部材４９による第２の移動板４７の作動部５７を介した押圧によって、固定側弾性接片５２における接触力を増加することができるし、ばね部材４９の強さを変えることで接触力の調整も可能である。
【００６９】
さらに、本発明のＩＣソケット４０において、コイルばねのようなばね部材４９の交換ができる構造にすることによって、鉛フリーのＩＣパッケージ５０の搭載をする等の場合には、次の様に対応する。すなわち、ＩＣソケット４０では、かかる場合、例えば接触力の増加が必要になった際に、評価ボード上においてばね部材の追加や、もしくは交換することによって容易に対応することができる。
【００７０】
（実施例４）
図７および図８は、本発明の電子部品用ソケットとしてのＩＣソケットの実施例４を示す概要説明図で、図７は、ＩＣソケットのフリー状態、すなわち閉合状態の時の中央縦断面図、図８は、ＩＣソケットのフルストローク状態、すなわちオープン状態の時の中央縦断面図である。
【００７１】
図７および図８に示されるように、本発明のコンタクトの接触力を増加させる方法を実施するための実施例４においては、第１の移動板６６を押圧するカム部材６８と、第２の移動板４７を押圧するばね部材４９に加えて、この第２の移動板６７を押圧する別のカム部材７３が設けられていることが、先の実施例１乃至３のものと異なっている。この実施例４における電子部品用ソケットとしてのＩＣソケット６０も、電子部品としてのＩＣパッケージ７０を装着して電気的接続を形成する挟み込み形のコンタクト６４を有するオープン・トップ・タイプのＩＣソケットである。
【００７２】
図７および図８に示されるように、本発明の実施例４におけるＩＣソケット６０は、ソケット本体６２と、上下動可能な操作部材６３と、装着されたＩＣパッケージ７０と電気的接続を形成する複数個の挟み込み形のコンタクト６４と、ＩＣパッケージ７０が装着される案内部材６５と、ソケット本体６２内に水平横方向に移動可能に配置された格子状または櫛歯状の仕切壁７６を有する第１の移動板６６と、水平横方向に移動可能に設けられた格子状または櫛歯状の作動部７７を有する第２の移動板６７と、第１の移動板６６を作動するカム部材６８と、第２の移動板６７を作動するカム部材７３とを有している。
【００７３】
さらに、本発明のこのＩＣソケット６０においては、ソケット本体６２と第２の移動板６７との間にコイルばねのようなばね部材６９が設けられている。
【００７４】
このような本発明のＩＣソケット６０において、ソケット本体６２は箱形をなしている。このソケット本体６２の底部には、挟み込み形のコンタクト６４が直立した状態に固設されており、装着されたＩＣパッケージ７０の球状または半球状の半田ボールのような外部端子７１と電気的接続を形成するように構成されている。
【００７５】
また、ソケット本体６２の上部には、複数個のコイルスプリングのようなばね部材７５によって操作部材６３が上下動可能に弾性支持されている。この操作部材６３には、操作部材６３から垂下するようにカム部材６８と別のカム部材７３とが設けられている。さらに、このソケット本体６２の上部には、操作部材６３の上下動に対応してカム部材６８によって格子状または櫛歯状の仕切壁７６を有する第１の移動板６６が横方向に移動するように設けられている。
【００７６】
同じように、カム部材７３によって同様な格子状または櫛歯状の作動部７７を有する第２の移動板６７が反対方向に水平移動されるように連動されている。従って、第１の移動板６６と第２の移動板６７とのそれぞれの横方向の移動によって、コンタクト４４が開かれるようになる。
【００７７】
このような本発明のＩＣソケット６０において、コンタクト６４は、一対の固定側弾性接片７２と可動側弾性接片７４とから形成されている。また、ＩＣソケット６０においては、これら固定側弾性接片７２と可動側弾性接片７４とが、ほぼ平行に上方に直立して延びるように基端部において互いに固着されており、これら固定側弾性接片７２と可動側弾性接片７４との間に第１の移動板６６の格子状または櫛歯状の仕切壁７６が位置するように配設されている。これと共に、ＩＣソケット６０では、この第１の移動板６６に対してその下に第２の移動板６７が設けられている。この第２移動板６７は、格子状または櫛歯状の作動部７７がコンタクト２４の固定側弾性接片７２の外側に当接するように配置されており、第１の移動板６６の仕切壁７６が固定側弾性接片７２と可動側弾性接片７４との間に設けられることによって、固定側弾性接片７２と可動側弾性接片７４とが隔絶されている。
【００７８】
また、コンタクト４４の可動側弾性接片７４は、カム部材６８によって第１の移動板６６が水平方向に移動する時に、第１の移動板６６の仕切壁７６によって外方に押圧されるので、先端部が外方に開かれるようになる。また、他方の固定側弾性接片７２は、別のカム部材７３によって第２の移動板６７が作動されて第２の移動板６７の作動部７７が離れるように移動されることによって自由になっている。従って、固定側弾性接片７２の先端部が外方に向って自由になるので、図８のようなオープン状態になり、可動側弾性接片７４と固定側弾性接片７２との先端部の間の間隔が図示のように広がって開放状態のようになる。
【００７９】
このように、本発明におけるＩＣソケット６０のコンタクト６４の図８オープン状態から図７への閉合状態へのコンタクト６４の開閉状態が図示されている。すなわち、図７には、コンタクト６４の閉合状態が示され、図８にはオープン状態が示されている。
【００８０】
図７に示されるように、コンタクト６４が閉合状態にある時に、第１の移動板６６は、仕切壁７６がコンタクト６４に負荷をかけていない。従って、第２の移動板６７は、ばね部材６９によって横方向に押圧されているために、この第２の移動板６７の作動部７７が固定側弾性接片７２を押圧している。このために、ＩＣパッケージ７０の外部端子７１は、自己弾性力によって内方に向って弾性偏倚されている可動側弾性接片７４と、第２の移動板６７の作動部７７によって内方に押圧された固定側弾性接片７２とによって、しっかりと押圧されて掴持されている。このように、コンタクト４４の固定側弾性接片７２の接触力が、ばね部材６９によって第２の移動板６７を介して増大されるように構成されている。
【００８１】
このように、本発明におけるＩＣソケット６０のコンタクト６４の図７の閉合状態から図８のオープン状態へのコンタクト６４の開閉状態に、コンタクト６４の固定側弾性接片７２と可動側弾性接片７４とが開閉されるようになる。すなわち、図７においては、コンタクト６４の閉合状態が示されている。この状態において、操作部材６３が押し下げられると、一方のカム部材６８によって第１の移動板６６が横方向に作動されて仕切壁７６によって可動側弾性接片７４が開かれる。
【００８２】
これと同時に、第２の移動板６７は、ばね部材６９のばね力に抗して図８に示されるように、別のカム部材７３によって押されて移動されるために、第２の移動板６７の作動部７７がコンタクト６４の固定側弾性接片７２から離れるようになる。これによって、固定側弾性接片７２が自由にされるので、固定側弾性接片７２は自己の弾性によって先端部がＩＣパッケージ７０の外部端子７１から離れるようになる。
【００８３】
このように、コンタクト６４の先端部は、図８に示されるように十分な余裕をもって開くようになって、オープン状態に広く十分に開くことができる。特に、この場合には、コンタクト６４の先端部は、可動側弾性接片７４の先端部がＩＣパッケージ７０の外部端子７１から十分離れるように開かれ、第２の移動板６７の作動部７７が固定側弾性接片７２から離される。これによりコンタクト４の、固定側弾性接片７２と可動側弾性接片７４とにおける寿命は変わらない。また、閉合時には、固定側弾性接片７２は、ＩＣパッケージ７０の外部端子７１をしっかりと掴持するようにばね部材６９によって接触力が増加される。
【００８４】
このように、本発明の実施例４におけるＩＣソケット６０においては、オープン時には、図８に示されるように、コンタクト６４の可動側弾性接片７４が第１の移動板６６によって押されて十分に開かれ、固定側弾性接片７２は、第２の移動板６７が追加の別のカム部材７３によって押されて作動部７７が固定側弾性接片７２から離れて固定側弾性接片７２を自由な状態にするので、コンタクト６４の応力を緩和することができる。さらに、この実施例では、閉合時には、コンタクト６４における接触力を、弾性部材であるばね部材６９によって増加することができる。さらにまた、ばね部材６９の強さを変えることで、接触力の調整も可能である。
【００８５】
さらに、本発明のＩＣソケット６０において、コイルばねのようなばね部材６９の交換ができる構造にすることによって、鉛フリーのＩＣパッケージ７０を搭載する等の場合に、接触力の増加が必要になった際に、評価ボード上においてばね部材６９の追加や、もしくは交換することによって容易に対応することができる。
【００８６】
【発明の効果】
以上説明したように、本発明の請求項１記載のコンタクトの接触力を増加する方法は、ＩＣパッケージを装着して電気的接続を形成するＩＣソケットのコンタクトの接触力を増加する方法において、ＩＣパッケージが装着される案内部材に対して横方向に移動可能に複数個の移動板を配置する工程と、該移動板の１つとソケット本体との間に弾性部材を配設する工程と、該弾性部材によって前記移動板を押圧する工程と、コンタクトを形成する一対の弾性接片の１つを前記移動板によって弾性偏倚する工程とを有するので、閉合時のコンタクトの接触力を好適に増大することができ、弾性部材の弾性力を変えることで接触力の調整が可能であり、コンタクトの開放時に移動板を移動して加圧部をコンタクトから離し、コンタクトにおける応力を緩和し従来と変わらない。
【００８７】
本発明の請求項２記載のコンタクトの接触力を増加する方法は、前記移動板の下の別の移動板の格子状の作動部によって前記コンタクトの弾性接片を外側から弾性偏倚するので、作動部によるコンタクトの加圧を離してコンタクトの応力を緩和し従来と変わらない。
【００８８】
本発明の請求項３記載のＩＣソケットは、ＩＣパッケージが装着される案内部材と、装着されたＩＣパッケージと電気的接続を形成する複数個の挟み込み形のコンタクトと、該コンタクトが固設されるソケット本体と、上下動可能に弾性支持された操作部材とを有するＩＣソケットにおいて、前記コンタクトを開閉する複数個の移動板と、該移動板の１つを移動すべく前記操作部材に形成されたカム部材と、前記移動板の他の１つを弾性偏倚する弾性部材とを有し、前記コンタクトが、一対の弾性接片がほぼ平行に延びるように一端において互いに固着され、前記移動板の１つによって前記弾性接片の一方を押圧して前記コンタクトを開くので、閉合時のコンタクトの接触力を好適に増大することができ、弾性部材の弾性力を変えることで接触力の調整が可能であり、コンタクト開放時に移動板を移動して作動部をコンタクトから離してコンタクトの応力を緩和し従来と変わらない。
【００８９】
本発明の請求項４記載のＩＣソケットは、前記コンタクトが、前記一対の弾性接片の間に前記一方の移動板の格子状の仕切壁が配設されて弾性接片が隔絶されているので、仕切壁によりコンタクトを離すことができる。
【００９０】
本発明の請求項５記載のＩＣソケットは、前記一方の弾性接片が外側に折り曲げられ、この折曲部に前記他の１つの移動板の作動部が押圧されて開かれるので、仕切壁と作動部によりコンタクトを離すことができる。
【００９１】
本発明の請求項６記載のＩＣソケットは、前記一対の弾性接片の間に前記１つの移動板の格子状の仕切壁が挟み込まれて配置され、前記複数個の移動板によって前記コンタクトの弾性接片が開かれるように形成されているので、閉合時のコンタクトの接触力を増大することができ、コンタクトの開放時には第１、第２の複数個の移動板を移動して作動部をコンタクトから離してコンタクトの応力を緩和して従来と変わらない。
【００９２】
本発明の請求項７記載のＩＣソケットは、前記複数個の移動板を作動すべく係合するように前記カム部材が形成されているので、カム部材を用いた簡単な構造で好適にコンタクトを開閉することができる。
【００９３】
本発明の請求項８記載のＩＣソケットは、前記コンタクトの他方の弾性接片に前記他の移動板の作動部が係合するように弾性部材が作用し、前記１つの移動板に前記カム部材が係合するように作用するので、弾性部材としてのばね部材を用いてカム部材によって移動板を作動してコンタクトを好適に開閉できる。
【００９４】
本発明の請求項９記載のＩＣソケットは、前記カム部材に加えて別のカム部材が前記操作部材に設けられて前記他の移動板を開放作動するので、操作部材の一作動で２つのカム部材により２つの移動板を作動してコンタクトを好適に開閉することができる。
【図面の簡単な説明】
【図１】本発明のコンタクトの接触力を増加する方法を実施するための電子部品用ソケットとしての実施例１におけるＩＣソケットのフリー状態、すなわち閉合状態の時の中央縦断面図である。
【図２】図１のＩＣソケットのフルストローク状態、すなわちオープン状態の時の中央縦断面図である。
【図３】本発明の実施例２におけるＩＣソケットのフリー状態、すなわち閉合状態の時の中央縦断面図である。
【図４】図３のＩＣソケットのフルストローク状態、すなわちオープン状態の時の中央縦断面図である。
【図５】本発明の実施例３におけるＩＣソケットのフリー状態、すなわち閉合状態の時の中央縦断面図である。
【図６】図５のＩＣソケットのフルストローク状態、すなわちオープン状態の時の中央縦断面図である。
【図７】本発明の実施例４におけるＩＣソケットのフリー状態、すなわち閉合状態の時の中央縦断面図である。
【図８】図７のＩＣソケットのフルストローク状態、すなわちオープン状態の時の中央縦断面図である。
【図９】従来のＩＣソケットのフリー状態、すなわち閉合状態の時の中央縦断面図である。
【図１０】図９の従来のＩＣソケットのフルストローク状態、すなわちオープン状態の時の中央縦断面図である。
【符号の説明】
１　　　ＩＣソケット
２　　　ソケット本体
３　　　操作部材
４　　　コンタクト
５　　　案内部材
６　　　第１の移動板
７　　　第２の移動板
８　　　カム部材
９　　　ばね部材
１０　　ＩＣパッケージ
１１　　外部端子
１２　　固定側弾性接片
１４　　可動側弾性接片
１５　　ばね部材
１６　　仕切壁
１７　　作動部
１８　　折曲部
２０　　ＩＣソケット
２２　　ソケット本体
２３　　操作部材
２４　　コンタクト
２５　　案内部材
２６　　第１の移動板
２７　　第２の移動板
２８　　カム部材
２９　　ばね部材
３０　　ＩＣパッケージ
３１　　外部端子
３２　　固定側弾性接片
３４　　可動側弾性接片
３５　　ばね部材
３６　　仕切壁
３７　　作動部
３８　　折曲部
４０　　ＩＣソケット
４２　　ソケット本体
４３　　操作部材
４４　　コンタクト
４５　　案内部材
４６　　第１の移動板
４７　　第２の移動板
４８　　カム部材
４９　　ばね部材
５０　　ＩＣパッケージ
５１　　外部端子
５２　　固定側弾性接片
５４　　可動側弾性接片
５５　　ばね部材
５６　　仕切壁
５７　　作動部
５８　　折曲部
６０　　ＩＣソケット
６２　　ソケット本体
６３　　操作部材
６４　　コンタクト
６５　　案内部材
６６　　第１の移動板
６７　　第２の移動板
６８　　カム部材
６９　　ばね部材
７０　　ＩＣパッケージ
７１　　外部端子
７２　　固定側弾性接片
７３　　カム部材
７４　　可動側弾性接片
７５　　ばね部材
７６　　仕切壁
７７　　作動部
７８　　折曲部
【図１】
2004111214.tif 000003
【図２】
2004111214.tif 000004
【図３】
2004111214.tif 000005
【図４】
2004111214.tif 000006
【図５】
2004111214.tif 000007
【図６】
2004111214.tif 000008
【図７】
2004111214.tif 000009
【図８】
2004111214.tif 000010
【図９】
2004111214.tif 000011
【図１０】
2004111214.tif 000012